(57)【要約】【課題】  キャビネット本体の横幅の範囲内で鏡を移動させるだけで、全ての収納品を取り出すことができて狭い空間への設置ができ、しかも、洗面化粧台の天板の近傍の奥行きを広くして洗面化粧台の使い勝手を向上させること。【解決手段】  収納棚が設けられたキャビネット本体５の前面に横幅がキャビネット本体５の幅の約半分の扉を兼ねる鏡６をその裏面に取り付けられた摺動機構を介して水平方向に移動可能に保持させてある。また、収納棚は洗面化粧台１の洗面ボール２を備えた天板３の後部上方の壁面を構成するように配置されていて鏡６はその上下端面が開放されて前記天板３の近傍の奥行きを広くしてある。【選択図】  図１
2009034537.tif 000002
【特許請求の範囲】
【請求項１】
収納棚が設けられたキャビネット本体の前面に、横幅がキャビネット本体の幅の約半分の扉を兼ねる鏡をその裏側に設けた摺動機構を介して、水平方向に移動可能に保持させたことを特徴とするミラーキャビネット。
【請求項２】
収納棚が、洗面化粧台の洗面ボールを備えた天板の後部上方の壁面を構成するように配置されていて、キャビネット本体に取り付けられている鏡は、その上下端面が開放されて、洗面化粧台の天板の近傍の奥行きを広くしてあることを特徴とする請求項１記載のミラーキャビネット。
【発明の詳細な説明】
【技術分野】
【０００１】
本発明は、収納棚の前面の一部を扉を兼ねる鏡で覆ってあるミラーキャビネットに関する。
【背景技術】
【０００２】
従来、この種のミラーキャビネットとしては、図８に示すような洗面化粧ユニット２０におけるサイド収納部２１があった。このサイド収納部２１は、洗面化粧ユニット２０の正面に据え付けられた大型の鏡２２の一側に設けられ、合成樹脂で一体成形された棚部（図示せず）に、この棚部の前面を開閉し得るように、扉を兼ねる鏡２３をその一側で枢着したものである。
【０００３】
また、この他に鏡を横方向に摺動させるようにしたものとしては、棚部の横幅と略等幅の摺動自在な鏡を用いたものが特開平１０ー１９２０６９号公報や、実開昭６２−１７９３９号公報に示されている。すなわち、後者のものは図９に示したように、合成樹脂で棚部３０ａ，３０ｂ，３０ｃが一体成形されたミラーパネル本体３０の前面に、上下に対向するように一対のレール３１，３２を付設し、このレール３１，３２に棚幅と略等幅のスライド扉となる鏡３３を摺動自在に嵌装したものである。
【発明の開示】
【発明が解決しようとする課題】
【０００４】
上述した従来のミラーキャビネットは、まず図８に示したものは、扉を兼ねる鏡が、その片側を支点として回動するようになっているので、棚部の前面を開放した状態では、鏡が前方に突出して洗面化粧台の使用の邪魔となる。よって、物を出し入れする度に一々、鏡を開閉しなくてはならず、煩わしかった。また、この構成のため鏡、およびこの鏡で覆われる棚部を大きくすることができず、その収納量が限られるという問題点があった。
【０００５】
また、図９に示したものは、棚幅と略等幅の鏡を横方向に摺動させることにより、棚から物を出し入れすることができ、鏡もその前方での作業の邪魔にならないが、鏡を摺動可能に支持したレールに埃が溜まり易く、特に洗面化粧台に使用した場合には、ここに水が溜まったり、整髪料や洗剤等の薬品類などが付着して埃が固着し易く、不潔になりがちで、鏡の摺動も円滑になされなくなるという問題点があった。また、このミラーキャビネットでは、鏡自体をスライド扉として用いているので、開閉操作の際にその側端面に物が当たると割れる虞れがあり、また、この開閉操作の際に直接、鏡に触れるため、鏡面が汚れ易いという問題点もあった。さらに、棚幅と略等幅の鏡では物の出し入れの際に鏡を摺動させると、その側端部がキャビネット本体の側方に突出することとなり、両側に所要の空間がないと鏡を移動できないため、設置場所が制約されてしまうという欠点があった。    
【特許文献１】特開平１０ー１９２０６９
【０００６】
本発明は、上記従来のミラーキャビネットが有していた問題点を解決し、キャビネット本体の横幅の範囲内で鏡を移動させるだけで、全ての収納品を取り出すことができて狭い空間への設置ができ、しかも、洗面化粧台の天板の近傍の奥行きを広くして、洗面化粧台の使い勝手を向上させることを課題とする。
【課題を解決するための手段】
【０００７】
上記の課題を解決するために、本発明のうち、請求項１記載の発明は、収納棚が設けられたキャビネット本体の前面に、横幅がキャビネット本体の幅の約半分の扉を兼ねる鏡をその裏面に設けた摺動機構を介して、水平方向に移動可能に保持させてあることを特徴とするミラーキャビネットである。
【０００８】
請求項２記載の発明は、上記請求項１記載の発明の構成における収納棚を、洗面化粧台の洗面ボールを備えた天板の後部上方の壁面を構成するように配置されていて、キャビネット本体に取り付けられている鏡は、その上下端面が開放されて、洗面化粧台の天板の近傍の奥行きを広くしてあるものに限定したことを特徴とする。
【発明の効果】
【０００９】
請求項１記載の発明は、収納棚が設けられたキャビネット本体の前面に、横幅がキャビネット本体の幅の約半分の鏡をその裏面に取り付けられた摺動機構を介して、水平方向に移動可能に保持させてあるので、図示するように鏡によって棚の内部が覆われていない開放部分が約半分残されていて、鏡をキャビネット本体の横幅の範囲内で移動させるだけで、収納されている品をこの開放部分より取り出すことができ、また、ミラーキャビネットの鏡はその裏面に取り付けられた摺動機構を介してキャビネット本体に取り付けたことにより、鏡の下方空間が広くなり、さらに、摺動部分に塵や埃が付着し難くなり、衛生的で清掃の手間が省かれると共に、鏡の摺動動作が妨げられる虞れもない。さらにまた、鏡の幅をキャビネット本体の幅とほぼ同一の大きさにしてある図６に示すもののように、物の出し入れの際に鏡を摺動させるとその端部が必ずキャビネット本体の側方に突出することがないため、両側に所要の空間がない狭い場所への設置が可能となる。
【００１０】
請求項２記載の発明は、前記したようなミラーキャビネットの特長を有しているうえに、収納棚が、洗面化粧台の洗面ボールを備えた天板の後部上方の壁面を構成するように配置されていて、キャビネット本体に取り付けられている鏡は、その上下端面が開放されて洗面化粧台の天板の近傍の奥行きを広くしてあるので、このミラーキャビネットが取り付けられた洗面化粧台の使い勝手が向上するという効果がある。
【発明を実施するための最良の形態】
【００１１】
以下、本発明を図示した実施の形態に基づき詳細に説明する。
図１は、本発明に係るミラーキャビネットの実施形態を示した洗面化粧台１の正面図、図２は、その要部拡大説明図である。図示したように本発明のミラーキャビネットは、洗面化粧台１の洗面ボウル２が設けられた天板３の後部上方の壁面を構成するように配置されており、複数の収納棚５ａ，５ｂ，５ｃが設けられたキャビネット本体５と、このキャビネット本体５の前面に取り付けられる鏡６とからなる。
【００１２】
キャビネット本体５は、壁面を構成する垂直部５ｐと、この垂直部５ｐの前方に突出した複数の収納棚５ａ，５ｂ，５ｃとを有し、例えば合成樹脂で一体成形したり、あるいは琺瑯パネルに人造大理石等の合成樹脂板を取り付けることなどにより形成されている。また、各収納棚５ａ，５ｂ，５ｃ間の縦方向には、図３の断面図並びに図４の側面図に示すように、収納棚５ｂ，５ｃを横方向に仕切る仕切壁５ｄ，５ｅが設けられている。
【００１３】
なお、図２において符号４は、キャビネット本体５の上部に設けられた照明装置を示す。また、図３並びに図４において符号１４は仕切壁５ｄ，５ｅの側面に取り付けられたコンセントを示す。
【００１４】
鏡６は、その縦方向の長さがキャビネット本体５の上下の収納棚５ａ，５ｂ，５ｃを覆える寸法で、横幅はキャビネット本体５の幅の約半分の寸法で、図示するように鏡６によって棚の内部が覆われていない開放部分が約半分残されていて、鏡６をキャビネット本体５の横幅の範囲内で移動させるだけで、収納されている品をこの開放部分より取り出すことができるようになっている。なお、常時は図１、図２に示すように、開放部分がキャビネット本体５の両側に位置されるように鏡６をバランスよく左右中間に位置させて体裁のよいものとしてある。また、この鏡６は、合成樹脂製の枠体７に取り付けられており、この枠体７の裏面には、その幅方向にわたって摺動機構の一対のスライドレール９，９が上下に取り付けられている。
【００１５】
スライドレール９は、図６に示したように、断面略コ字形に形成された横長の外レール１０と、ベアリング１２を介してこの外レール１０内に摺動可能に取り付けられた内レール１１とからなり、支持台（図３に符号８で示す）に連結固定される支持部１３が、この内レール１１を介して外レール１０に摺動可能に係合している。上記支持台８は、キャビネット本体５の上下の収納棚５ａ，５ｃの下側にそれぞれ固定されている。
【００１６】
本発明のミラーキャビネットは、上記の構成を有しており、従って、本発明のミラーキャビネットでは、収納棚５ａ，５ｂ，５ｃの扉を兼ねる横幅がキャビネット本体の幅の約半分の鏡６は、枠体７を介してその裏面に取り付けられた上下のスライドレール９，９が、それぞれキャビネット本体５に取り付けられた支持台８で摺動可能に支持されることにより、その上下端面が開放された状態でキャビネット本体５に取り付けられる。
【００１７】
よって、図５に示すように鏡６を左方に移動させれば、収納棚５ａ，５ｂ，５ｃの右半部分への物の出し入れが行え、反対に鏡６を右方に移動させれば、収納棚５ａ，５ｂ，５ｃの左半部分の利用が可能となるものである。
【００１８】
このように本発明のミラーキャビネットでは、収納棚５ａ，５ｂ，５ｃが、洗面化粧台１の洗面ボール２を備えた天板３の後部上方の壁面を構成するように配置されていて、キャビネット本体５に取り付けられている鏡６の下端が開放されているので、洗面化粧台１の天板３の近傍の奥行きが広くなり、このミラーキャビネットが取り付けられた洗面化粧台１の使い勝手が向上する。また、鏡６の摺動機構となるスライドレール９は、鏡６の裏側に取り付けられているので、洗面化粧台１の使用の際に、ここに水や湯、あるいは整髪料や洗剤等の薬品類がかかる虞れがない。よって、摺動機構が錆びたり、あるいは摺動機構に埃が固着したりなどしてその作動が妨げられる虞れがない。
【００１９】
図７は、本発明の権利範囲に含まれないミラーキャビネットの１例を示したもので、この場合は、キャビネット本体４の前面に取り付けられる鏡６１の幅をキャビネット本体４の幅とほぼ同一の大きさにしてあるため、収納棚５ａ，５ｂ，５ｃの前面の全てがこの鏡６１で隠蔽されることとなるが、物の出し入れの際に鏡６１を摺動させると、その端部がキャビネット本体４の側方に突出することとなり、両側に所要の空間がないと鏡６１を移動できず、このため、設置場所が制約されてしまうという欠点がある。
【００２０】
なお、上記の実施の形態では、摺動機構のスライドレール９を枠体７を介して鏡６に取り付けた例を示したが、このスライドレール９は、鏡６の裏面に取り付けられれば良く、その取付法は、例えば接着等の他の手段によっても良い。また、摺動機構として、図７に示されるようなスライドレール９を例示したが、この摺動機構は鏡６を水平方向に移動可能に保持できるものであれば、どのようなものであっても良い。
【００２１】
さらにまた、上記の実施の形態では、洗面化粧台にミラーキャビネットを取り付けた例を示したが、このミラーキャビネットは、それ自体の構成が変わらなければ、吊戸棚や浴室の収納など、どのような個所に用いることとしても良い。
【図面の簡単な説明】
【００２２】
【図１】本発明に係るミラーキャビネットの実施形態を示した洗面化粧台の正面図である。
【図２】図１の要部拡大説明図である。
【図３】図２のＡ−Ａ線の断面図である。
【図４】図２の左側面図である。
【図５】使用状態の正面図である。
【図６】スライドレールの斜視図である。
【図７】本発明の権利範囲に含まれないミラーキャビネットの１例を示した正面図である。
【図８】従来例の斜視図である。
【図９】他の従来例の斜視図である。
【符号の説明】
【００２３】
１：洗面化粧台
２：洗面ボール
３：天板
５：キャビネット本体
５ａ，５ｂ，５ｃ：収納棚
６：鏡
【図１】
2009034537.tif 000003
【図２】
2009034537.tif 000004
【図３】
2009034537.tif 000005
【図４】
2009034537.tif 000006
【図５】
2009034537.tif 000007
【図６】
2009034537.tif 000008
【図７】
2009034537.tif 000009
【図８】
2009034537.tif 000010
【図９】
2009034537.tif 000011